(57)【要約】【課題】生体を介して通信する通信機器間のクロストークを低減する。【解決手段】一つの実施形態によれば、生体通信装置は、第１通信器と第２通信器が設けられる。第１通信器は、第１通信部と第１導電体を有する。第２通信器は、第２導電体、第２信号線、第３導電体、第１基準電位線、第４導電体、第３信号線、第５導電体、第２基準電位線、及び第１検出部が設けられる。第２通信器は、第１差分出力を入力し、信号を送受信する。生体通信装置は、第１生体の表面が第１導電体、第２導電体、及び第４導電体と接触或いは近接したときに、第１通信器と第２通信器の間で通信が実行される。【選択図】  図１
2015032928.tif 000002
【特許請求の範囲】
【請求項１】
第１通信器と第２通信器が設けられる生体通信装置であって、
前記第１通信器は、
第１基板の第１主面上に設けられ、信号を送受信する第１通信部と、
第１信号線を介して前記第１通信部に接続された第１導電体と、
を有し、
前記第２通信器は、
第２導電体と、
一端が前記第２導電体に接続された第２信号線と、
前記第２導電体と並列配置された第３導電体と、
一端が前記第３導電体に接続された第１基準電位線と、
前記第２導電体と離間し、前記第２導電体に対して略直交配置された第４導電体と、
一端が前記第４導電体に接続された第３信号線と、
前記第４導電体と並列配置された第５導電体と、
一端が前記第５導電体に接続され、前記第１基準電位線と同じ電位に設定された第２基準電位線と、
前記第２信号線の他端、前記第３信号線の他端、前記第１基準電位線の他端、及び前記第２基準電位線の他端に接続され、前記第２信号線及び前記第３信号線によってそれぞれ観測される信号出力の第１差分出力を検出する第１検出部と、
前記第１差分出力を入力し、信号を送受信する第２通信部と、
を有し、
第１生体の表面が前記第１導電体、前記第２導電体、及び前記第４導電体と接触或いは近接したときに、前記第１通信器と前記第２通信器の間で通信が実行されることを特徴とする生体通信装置。
【請求項２】
前記第１生体は第１人体であり、前記第２乃至５導電体は、前記第１人体が着席する第１座席に配置され、
前記第１人体が前記第１座席に着席したとき、前記第２導電体は前記第１人体の尻部に接触或いは近接し、前記第４導電体は前記第１人体の背中部、後頭部、或いは脚部に接触或いは近接し、
前記第１人体が前記第１座席に着席し、前記第１導電体が前記第１人体の手又は胸部に接触或いは近接したときに、前記第１通信器と前記第２通信器の間で通信が実行されることを特徴とする請求項１に記載の生体通信装置。
【請求項３】
前記第１生体は第１人体であり、前記第２乃至５導電体は、前記第１人体が着席する第１座席に配置され、
前記第１人体が前記第１座席に着席したとき、前記第２導電体は前記第１人体の足裏部に接触或いは近接し、前記第４導電体は前記第１人体の背中部、後頭部、或いは脚部に接触或いは近接し、
前記第１人体が前記第１座席に着席し、前記第１導電体が前記第１人体の手又は胸部に接触或いは近接したときに、前記第１通信器と前記第２通信器の間で通信が実行されることを特徴とする請求項１に記載の生体通信装置。
【請求項４】
第３通信器、第４通信器、及び判定部を更に具備し、
前記第３通信器は、
第２基板の第１主面上に設けられ、信号を送受信する第３通信部と、
第４信号線を介して前記第３通信部に接続された第６導電体と、
を有し、
前記第４通信器は、
第７導電体と、
一端が前記第７導電体に接続された第５信号線と、
前記第７導電体と並列配置された第８導電体と、
一端が前記第８導電体に接続され、前記第１及び第２基準電位線と同じ電位に設定された第３基準電位線と、
前記第７導電体と離間し、前記第７導電体に対して略直交配置された第９導電体と、
一端が前記第９導電体に接続された第６信号線と、
前記第９導電体と並列配置された第１０導電体と、
一端が前記第１０導電体に接続され、前記第１乃至３基準電位線と同じ電位に設定された第４基準電位線と、
前記第５信号線の他端、前記第６信号線の他端、前記第３基準電位線の他端、及び前記第４基準電位線の他端に接続され、前記第５信号線及び前記第６信号線によってそれぞれ観測される信号出力の第２差分出力を検出する第２検出部と、
前記第２差分出力を入力し、信号を送受信する第４通信部と、
を有し、
第２生体の表面が前記第６導電体、前記第７導電体、及び前記第９導電体と接触或いは近接したときに、前記第３通信器と前記第４通信器の間で通信が実行され、
前記判定部は、前記第１差分出力、前記第２差分出力、前記第２信号線の第１信号出力、前記第３信号線の第２信号出力、前記第５信号線の第３信号出力、及び前記第６信号線の第４信号出力が入力され、前記第１生体及び前記第２生体の少なくとも一つの存在を判別する
ことを特徴とする請求項１に記載の生体通信装置。
【請求項５】
前記第１生体は第１人体であり、前記第２乃至５導電体は、前記第１人体が着席する第１座席に配置され、
前記第１人体が前記第１座席に着席したとき、前記第２導電体は前記第１人体の尻部に接触或いは近接し、前記第４導電体は前記第１人体の背中部、後頭部、或いは脚部に接触或いは近接し、
前記第１人体が前記第１座席に着席し、前記第１導電体が前記第１人体の手又は胸部に接触或いは近接したときに、前記第１通信器と前記第２通信器の間で通信が実行され、
前記第２生体は第２人体であり、前記第７乃至１０導電体は、前記第２人体が着席する第２座席に配置され、
前記第２人体が前記第２座席に着席したとき、前記第７導電体は前記第２人体の尻部に接触或いは近接し、前記第９導電体は前記第２人体の背中部、後頭部、或いは脚部に接触或いは近接し、
前記第２人体が前記第２座席に着席し、前記第６導電体が前記第２人体の手又は胸部に接触或いは近接したときに、前記第３通信器と前記第４通信器の間で通信が実行される
ことを特徴とする請求項４に記載の生体通信装置。
【請求項６】
前記第１生体は第１人体であり、前記第２乃至５導電体は、前記第１人体が着席する第１座席に配置され、
前記第１人体が前記第１座席に着席したとき、前記第２導電体は前記第１人体の足裏部に接触或いは近接し、前記第４導電体は前記第１人体の背中部、後頭部、或いは脚部に接触或いは近接し、
前記第１人体が前記第１座席に着席し、前記第１導電体が前記第１人体の手又は胸部に接触或いは近接したときに、前記第１通信器と前記第２通信器の間で通信が実行され、
前記第２生体は第２人体であり、前記第７乃至１０導電体は、前記第２人体が着席する第２座席に配置され、
前記第２人体が前記第２座席に着席したとき、前記第７導電体は前記第２人体の足裏部に接触或いは近接し、前記第９導電体は前記第２人体の背中部、後頭部、或いは脚部に接触或いは近接し、
前記第２人体が前記第２座席に着席し、前記第６導電体が前記第２人体の手又は胸部に接触或いは近接したときに、前記第３通信器と前記第４通信器の間で通信が実行される
ことを特徴とする請求項４に記載の生体通信装置。
【請求項７】
前記第１座席と前記第２座席の間に基準導電体が設けられ、前記基準導電体は前記第１乃至４基準電位線と同じ電位に設定されることを特徴とする請求項４乃至６のいずれか１項に記載の生体通信装置。
【請求項８】
前記第１座席及び前記第２座席は、車両、列車、飛行機、船舶、映画館、或いは劇場に設置されることを特徴とする請求項４乃至７のいずれか1項に記載の生体通信装置。
【請求項９】
第１通信器と第２通信器の間を通信する生体通信装置であって、
前記第１通信器は、
第１基板の第１主面上に設けられ、信号を送受信する第１通信部と、
第１信号線を介して前記第１通信部に接続された第１導電体と、
を有し、
前記第２通信器は、
第２導電体と、
一端が前記第２導電体に接続された第２信号線と、
前記第２導電体と並列配置された第３導電体と、
一端が前記第３導電体に接続された第１基準電位線と、
前記第２導電体と離間し、前記第２導電体に対して略直交配置された第４導電体と、
一端が前記第４導電体に接続された第３信号線と、
前記第４導電体と並列配置された第５導電体と、
一端が前記第５導電体に接続され、前記第１基準電位線と同じ電位に設定された第２基準電位線と、
前記第２信号線の他端、前記第３信号線の他端、前記第１基準電位線の他端、及び前記第２基準電位線の他端に接続され、前記第２信号線によって観察される第１信号出力、前記第３信号線によって観察される第２信号出力、及び前記第１信号出力と前記第２信号出力の第１差分出力を入力し、前記第１通信器を装着する第１人体が前記第２導電体及び前記第４導電体と接触或いは近接したときに、前記第１人体の認証を行う認証部と、
を有する
ことを特徴とする生体通信装置。
【請求項１０】
第１通信器と第２通信器の間を通信する生体通信装置であって、
前記第１通信器は第１生体の生体情報を観測し、
第１基板の第１主面上に設けられ、信号を送受信する第１通信部と、
第１信号線を介して前記第１通信部に接続された第１導電体と、
を有し、
前記第２通信器は、
第２導電体と、
一端が前記第２導電体に接続された第２信号線と、
前記第２導電体と並列配置された第３導電体と、
一端が前記第３導電体に接続された第１基準電位線と、
前記第２導電体と離間し、前記第２導電体に対して略直交配置された第４導電体と、
一端が前記第４導電体に接続された第３信号線と、
前記第４導電体と並列配置された第５導電体と、
一端が前記第５導電体に接続され、前記第１基準電位線と同じ電位に設定された第２基準電位線と、
前記第２信号線の他端、前記第３信号線の他端、前記第１基準電位線の他端、及び前記第２基準電位線の他端に接続され、前記第２信号線によって観察される第１信号出力、前記第３信号線によって観察される第２信号出力、及び前記第１信号出力と前記第２信号出力の第１差分出力を入力し、前記第１通信器を装着する第１人体が前記第２導電体及び前記第４導電体と接触或いは近接したときに、前記第１通信器から前記第１人体の生体情報を受信し、前記第１通信器を装着する第１人体が前記第２導電体及び前記第４導電体と所定の距離以上離れた場合に異常と判断するモニター部と、
を有する
ことを特徴とする生体通信装置。
【発明の詳細な説明】
【技術分野】
【０００１】
本発明の実施形態は、生体通信装置に関する。
【背景技術】
【０００２】
人体などの生体を介して通信データを送受信する生体通信が注目されている。生体通信は、医療／ヘルスケア、近距離無線、車載無線、エンターテイメント等に期待され、消費電力を従来よりも大幅に低減することができる。
【０００３】
生体通信では、生体を伝送路の一部として利用する通信装置に２つの電極が設置される。一つは信号線に接続された信号電極であり、もう一方は基準電位を持つ通信装置の接地電位に接続される基準電位電極である。信号電極同士は主に生体を介して結合し、基準電位電極同士は主に空間や大地を介して結合することで、通信装置は信号電極と基準電位電極の間の電位差を伝達する。
【０００４】
生体表面の電界を用いた生体通信装置を、個人のＩＤ認証を行うシステムに適用する場合、複数の生体の接近により生体同士が容量結合する。このため、生体を伝送路とする生体通信特有のクロストークが増大して個人のＩＤと生体通信装置の関連付けが困難になるという問題点がある。
【先行技術文献】
【特許文献】
【０００５】
【特許文献１】特開２００３−３７５６６号公報
【発明の概要】
【発明が解決しようとする課題】
【０００６】
本発明は、通信機器間のクロストークを低減することができる生体通信装置を提供することにある。
【課題を解決するための手段】
【０００７】
一つの実施形態によれば、生体通信装置は、第１通信器と第２通信器が設けられる。第１通信器は、第１通信部と第１導電体を有する。第１通信部は、第１基板の第１主面上に設けられ、信号を送受信する。第１導電体は、第１信号線を介して第１通信部に接続される。第２通信器は、第２導電体、第２信号線、第３導電体、第１基準電位線、第４導電体、第３信号線、第５導電体、第２基準電位線、及び第１検出部が設けられる。第２通信器は、第１差分出力を入力し、信号を送受信する。第２信号線は、一端が第２導電体に接続される。第３導電体は、第２導電体と並列配置される。第１基準電位線は、一端が前記第３導電体に接続される。第４導電体は、第２導電体と離間し、第２導電体に対して略直交配置される。第３信号線は、一端が前記第４導電体に接続される。第５導電体は、第４導電体と並列配置される。第２基準電位線は、一端が第５導電体に接続され、第１基準電位線と同じ電位に設定される。第１検出部は、第２信号線の他端、第３信号線の他端、第１基準電位線の他端、及び第２基準電位線の他端に接続され、第２信号線及び第３信号線によってそれぞれ観測される信号出力の第１差分出力を検出する。生体通信装置は、第１生体の表面が第１導電体、第２導電体、及び第４導電体と接触或いは近接したときに、第１通信器と第２通信器の間で通信が実行される。
【図面の簡単な説明】
【０００８】
【図１】第１の実施形態に係る生体通信装置の概略構成を示す図である。
【図２】第１の実施形態に係る第１通信器の構成を示す断面図である。
【図３】第１の実施形態に係る第１検出部の構成を示すブロック図である。
【図４】第１の実施形態に係る生体通信装置の特性を示す図である。
【図５】第１の変形例の第１通信器の構成を示す断面図である。
【図６】第２の実施形態に係る生体通信装置の概略構成を示す図である。
【図７】第２の実施形態に係る第３通信器の構成を示す断面図である。
【図８】第２の実施形態に係る第２検出部の構成を示すブロック図である。
【図９】第２の実施形態に係る座席に人体が着席している状態を示す図である。
【図１０】第２の実施形態に係る生体通信装置の特性を示す図である。
【図１１】第２の実施形態に係る２つの座席に人体がそれぞれ着席している状態を示す図である。
【図１２】第２の実施形態に係る生体通信装置の特性を示す図である。
【図１３】第３の実施形態に係る生体通信装置の概略構成を示す図である。
【図１４】第３の実施形態に係る生体通信装置の特性を示す図である。
【図１５】第３の実施形態に係る生体通信装置の特性を示す図である。
【図１６】第３の実施形態に係る背面部側から見た２つの生体がそれぞれ着席している状態を示す図である。
【図１７】図１６のＡ−Ａ線に沿う電界強度分布を示す図である。
【図１８】第３の実施形態に係る尻部側から見た２つの生体がそれぞれ着席している状態を示す図である。
【図１９】図１８のＢ−Ｂ線に沿う電界強度分布を示す図である。
【図２０】第２の変形例の生体通信装置の概略構成を示す図である。
【図２１】第４の実施形態に係る生体通信装置の概略構成を示す図である。
【図２２】第５の実施形態に係る生体通信装置の概略構成を示す図である。
【０００９】
以下本発明の実施形態について図面を参照しながら説明する。
【００１０】
（第１の実施形態）
まず、本発明の第一の実施形態に係る生体通信装置について、図面を参照して説明する。図１は生体通信装置の概略構成を示す図である。図２は第１通信器の構成を示す断面図である。図３は第１検出部の構成を示すブロック図である。本実施形態では、第１通信器と第２通信器が人体を介して生体通信が行われ、第２通信器の信号電極と基準電位電極が１対をなし、第１通信器に近い一対と第１通信器と遠いもう一対は、略直交するように配置されている。
【００１１】
図１に示すように、生体通信装置１００には、通信器１（第１通信器）及び通信器２（第２通信器）が設けられる。生体通信装置１００は、生体３の表面の電界を用いた生体通信装置であり、人体３を介して通信器１と通信器２の間で送受信を実行する。
【００１２】
通信器１は、例えば、人体３の胸部に装着される。図２に示すように、通信器１には、通信部２１（第１通信部）、導電体２２（第１導電体）、基板２５（第１基板）、ビア２６、信号線Ｌｓ１１（第１信号線）、及び筺体２７が設けられる。
【００１３】
筺体２７は、水平方向が高さ方向よりも大きい箱型形状を有する。筺体２７は、通信部２１、導電体２２、基板２５、信号線Ｌｓ１１、及びビア２６を覆って内部に収納する。
【００１４】
ここでは、筺体２７を箱形形状にしているが、代わりに端部がＲ形状を有する箱形又は楕円球形状などにしてもよい。
【００１５】
基板２５は、誘電体部２４と基準電位電極２３から構成される。基準電位電極２３は、接地電極とも呼称される。誘電体部２４は、基準電位電極２３の第一主面（表面）上に設けられる。誘電体部２４は、例えば絶縁性セラミック或いは絶縁性有機物等から構成される。基準電位電極２３は、例えば銅（Ｃｕ）或いは金（Ａｕ）などの金属層から構成される。
【００１６】
通信部２１は、誘電体部２４の第一主面（表面）上に設けられ、信号を送受信する。通信部２１は、図示しない接地電極がビア２６を介して基準電位電極２３に接続される。導電体２２は、信号電極として機能する。導電体２２は、誘電体部２４の第一主面側に設けられ、筺体２７の上部内壁に設けられる。導電体２２は、信号線Ｌｓ１１を介して通信部２１に接続される。信号線Ｌｓ１１は、Ｌ字型構造を有し、通信部２１側が誘電体部２４の第一主面（表面）上に設けられる。
【００１７】
通信器２には、検出部１１、通信部１２（第２通信部）、導電体１３乃至１６、信号線Ｌｓ１、信号線Ｌｓ３、信号線Ｌｓ５乃至７、基準電位線Ｌｓ２、及び基準電位線Ｌｓ４が設けられる。
【００１８】
導電体１３（第２導電体）は、信号電極として機能する。導電体１３は、人体３に接触或いは近接配置される。導電体１４（第３導電体）は、導電体１３と並列配置され、人体３と離間配置される。
【００１９】
導電体１５（第４導電体）は、信号電極として機能する。導電体１４は、導電体１３に対して略直交配置され、人体３に接触或いは近接配置される。導電体１６（第５導電体）は、導電体１５と並列配置され、人体３と離間配置される。
【００２０】
ここで、導電体１５及び導電体１６は、通信器１に対して導電体１３及び導電体１４よりも人体３を介して近接配置される。
【００２１】
信号線Ｌｓ１（第２信号線）は、一端が導電体１３に接続され、他端が検出部１１に接続される。基準電位線Ｌｓ２（第１基準電位線）は、例えば接地電位に設定される。基準電位線Ｌｓ２は、一端が導電体１４に接続され、他端が検出部１１に接続される。
【００２２】
信号線Ｌｓ３（第３信号線）は、一端が導電体１５に接続され、他端が検出部１１に接続される。基準電位線Ｌｓ４（第２基準電位線）は、例えば接地電位に設定される。基準電位線Ｌｓ４は、一端が導電体１６に接続され、他端が検出部１１に接続される。
【００２３】
導電体１３乃至１６、導電体２２は、例えば板状の形状を有し、銅泊などの導電性シート、塗布或いはインクジェット法を用いて薄膜化及び焼結化された導電性インク、或いはＩＴＯ（indium tin oxide）などの透明導電材などが使用される。
【００２４】
図３に示すように、検出部１１には、比較器１７、比較器１８、及び比較器１９が設けられる。
【００２５】
比較器１７は、入力側の＋（プラス）ポートが信号線Ｌｓ１に接続され、入力側の−（マイナス）ポートが基準電位Ｖｓｓ（基準電位線Ｌｓ２に接続）に設定される。比較器１７は、比較増幅した信号Ｓｏｕｔ１（第１信号出力）を出力する。比較器１８は、入力側の＋（プラス）ポートが信号線Ｌｓ３に接続され、入力側の−（マイナス）ポートが基準電位Ｖｓｓ（基準電位線Ｌｓ４に接続）に設定される。比較器１８は、比較増幅した信号Ｓｏｕｔ２（第２信号出力）を出力する。
【００２６】
比較器１９は、入力側の＋（プラス）ポートに信号Ｓｏｕｔ１が入力され、入力側の−（マイナス）ポートに信号Ｓｏｕｔ２が入力される。比較器１９は、比較増幅した検出信号Ｓｄｔ１（第１差分出力）を出力する。
【００２７】
通信部１２は、検出部１１から出力される検出信号Ｓｄｔ１が入力される。通信部１２は、信号線Ｌｓ５を介して信号線Ｌｓ１に接続され、信号線Ｌｓ６を介して信号線Ｌｓ３に接続される。通信部１２は、通信器１の通信部２１との間で信号を送受信する。
【００２８】
ここで、導電体１５及び導電体１６は、人体３を介して、通信器１と略平行配置される。導電体１３及び導電体１４は、人体３を介して、通信器１と略垂直配置される。しかも、導電体１５及び導電体１６は、通信器１に対して導電体１３及び導電体１４よりも近接配置される。
【００２９】
次に、生体通信装置の特性について図４（ａ）及び図４（ｂ）を参照して説明する。図４（ａ）は、本実施形態の生体通信装置１００の特性を示す図であり、図４（ｂ）は、比較例の生体通信装置の特性を示す図である。比較例の生体通信装置では、導電体１３及び導電体１４が設けられていない。図４（ａ）及び図４（ｂ）に示す値は、電磁界シミュレーションから算出されたものであり、通信器１での送信レベルで規格化している。
【００３０】
図４（ａ）に示すように、本実施形態の生体通信装置１００では、人体３が無い場合、検出信号Ｓｄｔ１の信号レベルは比較的小さい（−１９ｄＢ）。これに対して、人体有りの場合、検出信号Ｓｄｔ１の信号レベルは比較的大きい（−２ｄＢ）。このため、人体３の有無を判定することができる。通信器１の通信部２１から個人のＩＤ情報が発信される場合、個人のＩＤ認証と近接する図示しない通信装置との関連づけが可能となる。
【００３１】
図４（ｂ）に示すように、比較例の生体通信装置では、人体３無しの場合（−６０ｄＢ）の方が、人体３が有りの場合（−６８ｄＢ）よりも検出レベルが高くなっている。このため、検出レベルが所定の閾値を超えたときに人体３が存在するという単純な判定ができない。したがって、比較例の生体通信装置では、人体３の有無を判定することは困難である。
【００３２】
上述したように、本実施形態の生体通信装置では、人体３を介して通信器１と通信器２の間で送受信が実行される。通信器１には、通信部２１、導電体２２、基板２５、ビア２６、信号線Ｌｓ１1、及び筺体２７が設けられる。通信器２には、検出部１１、通信部１２、導電体１３乃至１６、信号線Ｌｓ１、信号線Ｌｓ３、信号線Ｌｓ５乃至７、基準電位線Ｌｓ２、及び基準電位線Ｌｓ４が設けられる。導電体１５及び導電体１６は、人体３を介して、通信器１と略平行配置される。導電体１３及び導電体１４は、人体３を介して、通信器１と略垂直配置される。しかも、導電体１５及び導電体１６は、通信器１に対して導電体１３及び導電体１４よりも近接配置される。
【００３３】
このため、本実施形態の生体通信装置１００では、人体３の有無を判定することができる。通信器１から個人のＩＤ情報が発信される場合、個人のＩＤ認証と近接する通信装置との関連づけができる。
【００３４】
なお、本実施形態では、通信器１に導電体２２を設けているが必ずしもこれに限定されるものではない。例えば、図５に示す第１の変形例の通信器１ａのように、磁界送受信部３４を設けてもよい。具体的には、端子３１は、誘電体部２４の第一主面（表面）上に設けられる。端子３１は、信号線Ｌｓ１１を介して通信部２１に接続される。端子３１は、図示しない接地電極がビア３２を介して基準電位電極２３に接続される。端子３１は、信号線Ｌｓ２１を介して導電体２２に接続される。磁界送受信部３４は、導電体２２に並列に筺体２７の上部内壁に配置される。磁界送受信部３４は、フェライトバー３３に信号線が巻かれた構造を有する。磁界送受信部３４は、信号線Ｌｓ２２を介して端子３１に接続される。信号線Ｌｓ２２は、Ｌ字型構造を有し、端子３１側が誘電体部２４の第一主面（表面）上に設けられる。
【００３５】
また、本実施形態では、導電体２２を筺体２７の上部内壁に設けているが必ずしもこれに限定されるものではない。例えば、導電体２２を筺体２７の上部外壁に設けてもよい。この場合、筺体２７の貫通孔を介して導電体２２を信号線Ｌｓ２１に接続するのが好ましい。
【００３６】
（第２の実施形態）
次に、本発明の第２の実施形態に係る生体通信装置について、図面を参照して説明する。図６は生体通信装置の概略構成を示す図である。図７は第３通信器の構成を示す断面図である。図８は第２検出部の構成を示すブロック図である。本実施形態では、第１通信器と第２通信器が人体を介して生体通信が行われ、対となる信号電極と基準電位電極が第２通信器側に略直交するように２個所配置される。また、第３通信器と第４通信器が人体を介して生体通信が行われ、対となる信号電極と基準電位電極が第４通信器側に略直交するように２個所配置されている。
【００３７】
以下、第１の実施形態と同一構成部分には、同一符号を付してその部分の説明を省略し、異なる部分のみ説明する。
【００３８】
図６に示すように、生体通信装置１１０には、通信器１、通信器２、通信器４（第３通信器）、通信器５（第４通信器）、及び判定部７が設けられる。生体通信装置１１０は、人体３を介して通信器１と通信器２の間で送受信を実行し、人体６を介して通信器４と通信器５の間で送受信を実行する。
【００３９】
通信器４は、例えば、人体６の胸部に装着される。図７に示すように、通信器４には、通信部５１（第３通信部）、導電体５２（第６導電体）、基板５５（第２基板）、ビア５６、信号線Ｌｓ５1（第４信号線）、及び筺体５７が設けられる。
【００４０】
筺体５７は、水平方向が高さ方向よりも大きい箱型形状を有する。筺体５７は、通信部５１、導電体５２、基板５５、信号線Ｌｓ５1、及びビア５６を覆って内部に収納する。
【００４１】
ここでは、筺体５７を箱形形状にしているが、代わりに端部がＲ形状を有する箱形又は楕円球形状などにしてもよい。
【００４２】
基板５５は、誘電体部５４と基準電位電極５３から構成される。基準電位電極５３は、接地電極とも呼称される。誘電体部５４は、基準電位電極５３の第一主面（表面）上に設けられる。誘電体部５４は、例えば絶縁性セラミック或いは絶縁性有機物等から構成される。基準電位電極５３は、例えば銅（Ｃｕ）或いは金（Ａｕ）などの金属層から構成される。
【００４３】
通信部５１は、誘電体部５４の第一主面（表面）上に設けられ、信号を送受信する。通信部５１は、図示しない接地電極がビア５６を介して基準電位電極５３に接続される。導電体５２は、信号電極として機能する。導電体５２は、誘電体部５４の第一主面側に設けられ、筺体５７の上部内壁に設けられる。導電体５２は、信号線Ｌｓ５１を介して通信部５１に接続される。信号線Ｌｓ５１は、Ｌ字型構造を有し、通信部５１側が誘電体部５４の第一主面（表面）上に設けられる。
【００４４】
通信器５には、検出部４１、通信部４２（第４通信部）、導電体４３乃至４６、信号線Ｌｓ４１、信号線Ｌｓ４３、信号線Ｌｓ４５乃至４７、基準電位線Ｌｓ４２、及び基準電位線Ｌｓ４４が設けられる。
【００４５】
導電体４３（第７導電体）は、信号電極として機能する。導電体４３は、人体６に接触或いは近接配置される。導電体４４（第８導電体）は、導電体４３と並列配置され、人体６と離間配置される。
【００４６】
導電体４５（第９導電体）は、信号電極として機能する。導電体４５は、導電体４３に対して略直交配置され、人体６に接触或いは近接配置される。導電体４６（第１０導電体）は、導電体４５と並列配置され、人体６と離間配置される。
【００４７】
ここで、導電体４５及び導電体４６は、通信器４に対して導電体４３及び導電体４４よりも人体６を介して近接配置される。
【００４８】
信号線Ｌｓ４１（第５信号線）は、一端が導電体４３に接続され、他端が検出部４１に接続される。基準電位線Ｌｓ４２（第３基準電位線）は、例えば接地電位に設定される。基準電位線Ｌｓ４２は、一端が導電体４４に接続され、他端が検出部４１に接続される。
【００４９】
信号線Ｌｓ４３（第６信号線）は、一端が導電体４５に接続され、他端が検出部４１に接続される。基準電位線Ｌｓ４４（第４基準電位線）は、例えば接地電位に設定される。基準電位線Ｌｓ４４は、一端が導電体４６に接続され、他端が検出部４１に接続される。
【００５０】
導電体４３乃至４６、導電体５２は、例えば板状の形状を有し、銅泊などの導電性シート、塗布或いはインクジェット法を用いて薄膜化及び焼結化された導電性インク、或いはＩＴＯ（indium tin oxide）などの透明導電材などが使用される。導電体１３、導電体１５、導電体２２、導電体４３、導電体４５、及び導電体５２は、信号電極として機能する。
【００５１】
図８に示すように、検出部４１には、比較器６１、比較器６２、及び比較器６３が設けられる。
【００５２】
比較器６１は、入力側の＋（プラス）ポートが信号線Ｌｓ４１に接続され、入力側の−（マイナス）ポートが基準電位Ｖｓｓ（基準電位線Ｌｓ４２に接続）に設定される。比較器６１は、比較増幅した信号Ｓｏｕｔ２１（第３信号出力）を出力する。比較器６２は、入力側の＋（プラス）ポートが信号線Ｌｓ４３に接続され、入力側の−（マイナス）ポートが基準電位Ｖｓｓ（基準電位線Ｌｓ４４に接続）に設定される。比較器６２は、比較増幅した信号Ｓｏｕｔ２２（第４信号出力）を出力する。
【００５３】
比較器６３は、入力側の＋（プラス）ポートに信号Ｓｏｕｔ２１が入力され、入力側の−（マイナス）ポートに信号Ｓｏｕｔ２２が入力される。比較器６３は、比較増幅した検出信号Ｓｄｔ２（第２差分出力）を出力する。
【００５４】
通信部４２は、検出部４１から出力される検出信号Ｓｄｔ２が入力される。通信部４２は、信号線Ｌｓ４５を介して信号線Ｌｓ４１に接続され、信号線Ｌｓ４６を介して信号線Ｌｓ４３に接続される。通信部４２は、通信器４の通信部５１との間で信号を送受信する。
【００５５】
ここで、導電体４５及び導電体４６は、人体６を介して、通信器４と略平行配置される。導電体４３及び導電体４４は、人体６を介して、通信器４と略垂直配置される。しかも、導電体４５及び導電体４６は、通信器４に対して導電体４３及び導電体４４よりも近接配置される。
【００５６】
判定部は、検出部１１から出力される信号Ｓｏｕｔ１、信号Ｓｏｕｔ２、及び検出信号Ｓｄｔ１が入力され、検出部４１から出力される信号Ｓｏｕｔ２１、信号Ｓｏｕｔ２２、及び検出信号Ｓｄｔ２が入力される。判定部７は、これらの信号に基づいて人体の有無の判定、例えば人体が座席に着席しているかどうかを判定する。
【００５７】
次に、人体３が座席７１に着席している場合の生体通信装置１１０について、図９及び図１０を参照して説明する。図９は人体３が座席７１に着席している状態を示す図である。図１０は人体３が座席７１に着席している場合の生体通信装置１１０の特性を示す図である。図１０に示す値は、電磁界シミュレーションから算出されたものであり、通信器１での送信レベルで規格化している。
【００５８】
図９に示すように、座席７１（第１座席）には、人体の背中が接触する上部に導電体１５及び導電体１６が設けられ、人体の尻部が接触する下部に導電体１３及び導電体１４が設けられる。座席７２（第２座席）には、人体の背中が接触する上部に導電体４５及び導電体４６が設けられ、人体の尻部が接触する下部に導電体４３及び導電体４４が設けられる。
【００５９】
ここで、座席７１及び座席７２は、車両、列車、飛行機、船舶、映画館、或いは劇場に設置されるものである。
【００６０】
導電体１５は人体に接触或いは近接する。導電体１６は導電体１５を介して人体と向かい合う。導電体１３は人体に接触或いは近接する。導電体１４は導電体１３を介して人体と向かい合う。
【００６１】
ここで、通信器１を胸に装着した人体３が座席７１に着席している。座席７２には人体が着席していない。なお、図９では、導電体１３乃至１６を除く通信器２、導電体４３乃至４６を除く通信器５については説明を簡略にするために省略している。
【００６２】
図１０に示すように、人体３が座席７１に着席しており、通信器２で検出される検出信号Ｓｄｔ１は比較的大きな値（−１．２２ｄＢ）となっている。これに対して座席７２には人体が着席せず、通信器５で検出される検出信号Ｓｄｔ２は比較的小さな値（−１７．５８ｄＢ）となっている。検出信号Ｓｄｔ１と検出信号Ｓｄｔ２の差は、＋１６．３６ｄＢと大きな値が得られている。
【００６３】
このため、人体３が座席７１に着席していることを感度よく検出することができる。また、座席７２に人体が着席していないことを感度良く検出することができる。したがって、人体３に装着した通信器１から発信された個人のＩＤ認証と人体３側の通信器との関連づけも容易に行える。また、クロストークの大きさを示す重要な値である（信号Ｓｏｕｔ１−Ｓｏｕｔ２１の値）及び（信号Ｓｏｕｔ２−Ｓｏｕｔ２２の値）とも正の値となっており、通信器１の送信を示している。なお、｛（Ｓｏｕｔ１−Ｓｏｕｔ２１）−（Ｓｏｕｔ２−Ｓｏｕｔ２２）｝の値の絶対値は、クロストークの総合評価を示すものであり、絶対値が大きいほどクロストークが小さいことを表しているが、この場合は１６．３６ｄＢと大きな値を示し、クロストークが小さい。
【００６４】
次に、人体３が座席７１に着席し、人体６が座席７２に着席している場合の生体通信装置１１０について、図１１及び図１２を参照して説明する。図１１は人体３が座席７１に着席し、人体６が座席７２に着席している状態を示す図である。図１２は人体３が座席７１に着席し、人体６が座席７２に着席している場合の生体通信装置１１０の特性を示す図である。図１２に示す値は、電磁界シミュレーションから算出されたものであり、通信器１送信時は通信器１での送信レベルで規格化し、通信器４送信時は通信器４での送信レベルで規格化している。
【００６５】
図１１に示すように、通信器１を胸に装着した人体３が座席７１に着席している。また、通信器４を胸に装着した人体６が座席７２に着席している。なお、図１１では、導電体１３乃至１６を除く通信器２、導電体４３乃至４６を除く通信器５については説明を簡略にするために省略している。
【００６６】
図１２に示すように、通信器１の送信時、通信器２で検出される検出信号Ｓｄｔ１は比較的大きな値（−１．０８ｄＢ）となっている。通信器５で検出される検出信号Ｓｄｔ２は比較的大きな値（−２．５６ｄＢ）となっている。検出信号Ｓｄｔ１と検出信号Ｓｄｔ２の差は、＋１．４８ｄＢと比較的大きな値が得られている。
【００６７】
通信器４の送信時、通信器２で検出される検出信号Ｓｄｔ１は比較的大きな値（−２．３６ｄＢ）となっている。通信器５で検出される検出信号Ｓｄｔ２は比較的大きな値（−１．０３ｄＢ）となっている。検出信号Ｓｄｔ１と検出信号Ｓｄｔ２の差は、−１．３３ｄＢと比較的大きな値が得られている。
【００６８】
検出信号Ｓｄｔ１及び検出信号Ｓｄｔ２の値の絶対値が２．６ｄＢ以内であることから、人体３が座席７１に着席していること、人体６が座席７２に着席していることを感度よく検出することができる。また、（Ｓｏｕｔ１−Ｓｏｕｔ２１）及び（Ｓｏｕｔ２−Ｓｏｕｔ２２）の値が正の場合が送信器１の送信を示し、負の場合が送信器４の送信を示していることから、通信器１或いは通信器４から発信された個人のＩＤ認証と人体側の通信器との関連づけも容易に行える。
【００６９】
なお、図１２に示す特性は、人体３と人体６同士が電気的に結合しているので、図１０に示す人体３のみ着席している場合と比較して通信器間のクロストークがやや増加するため、クロストークの総合評価を示す｛（Ｓｏｕｔ１−Ｓｏｕｔ２１）−（Ｓｏｕｔ２−Ｓｏｕｔ２２）｝の値の絶対値が、図１０より小さくなっている。
【００７０】
上述したように、本実施形態の生体通信装置では、生体通信装置１１０には、通信器１、通信器２、通信器４、通信器５、及び判定部７が設けられる。人体３が座席７１に着席し、人体が隣接する座席７２に着席していない場合、通信器２で検出される検出信号Ｓｄｔ１は比較的大きな値となり、通信器５で検出される検出信号Ｓｄｔ２は比較的小さな値となる。人体３が座席７１に着席し、人体６が座席７２に着席している場合、通信器１の送信時では通信器２で検出される検出信号Ｓｄｔ１は比較的大きな値となり、通信器５で検出される検出信号Ｓｄｔ２は比較的大きな値となる。通信器４の送信時では、通信器２で検出される検出信号Ｓｄｔ１は比較的大きな値となり、通信器５で検出される検出信号Ｓｄｔ２は比較的大きな値となる。
【００７１】
このため、本実施形態の生体通信装置１１０では、人体３、人体６の有無を判定することができる。通信器１或いは通信器４から個人のＩＤ情報が発信される場合、個人のＩＤ認証と近接する通信器との関連づけができる。
【００７２】
なお、本実施形態では、導電体１３、導電体１４、導電体４３、及び導電体４４を人体が座席に着席したときに人体の尻部に接触或いは近接するように配置しているが、例えば人体の足裏部に接触或いは近接するように配置してもよい。導電体１５、導電体１６、導電体４５、及び導電体４６を人体が座席に着席したときに人体の背中部に接触或いは近接するように配置しているが、人体の後頭部或いは脚部に接触或いは近接するように配置してもよい。
【００７３】
（第３の実施形態）
次に、本発明の第３の実施形態に係る生体通信装置について、図面を参照して説明する。図１３は生体通信装置の概略構成を示す図である。本実施形態では、座席の間に基準導電体を設けてクロストークを低減している。
【００７４】
以下、第２の実施形態と同一構成部分には、同一符号を付してその部分の説明を省略し、異なる部分のみ説明する。
【００７５】
図１３に示すように、生体通信装置１２０では、第２の実施形態の通信装置１１０の座席７１と座席７２の間に基準導電体７３を設けている。基準導電体７３は基準電位Ｖｓｓに設定される。
【００７６】
次に、通信器１を胸部に装着した人体３が座席７１に着席し、通信器４を胸部に装着した人体６が座席７２に着席している場合の生体通信装置１２０の特性について、図１４乃至１９を参照して説明する。
【００７７】
図１４は基準導電体７３が人体３及び人体６と離間しているときの生体通信装置１２０の特性である。図１４は、電磁界シミュレーションから算出されたものであり、通信器１送信時は通信器１での送信レベルで規格化し、通信器４送信時は通信器４での送信レベルで規格化している。
【００７８】
図１４に示すように、座席７１と座席７２の間に基準導電体７３を設けた場合、通信器１の送信時、通信器２で検出される検出信号Ｓｄｔ１の値は（−２．０３ｄＢ）となっている。通信器５で検出される検出信号Ｓｄｔ２の値は（＋２．１４ｄＢ）となっている。通信器４の送信時、通信器２で検出される検出信号Ｓｄｔ１の値は（＋２．４９ｄＢ）となっている。通信器５で検出される検出信号Ｓｄｔ２の値は（−２．０３ｄＢ）となっている。
【００７９】
検出信号Ｓｄｔ１及び検出信号Ｓｄｔ２の値の絶対値が２．５ｄＢ以内であることから、人体３が座席７１に着席していること、人体６が座席７２に着席していることを感度よく検出することができている。また、（Ｓｏｕｔ１−Ｓｏｕｔ２１）及び（Ｓｏｕｔ２−Ｓｏｕｔ２２）の値が正の場合が送信器１の送信を示し、負の場合が送信器４の送信を示していることから、通信器１或いは通信器４から発信された個人のＩＤ認証と人体側の通信器との関連づけも容易に行える。
【００８０】
クロストークの総合評価を示す｛（Ｓｏｕｔ１−Ｓｏｕｔ２１）−（Ｓｏｕｔ２−Ｓｏｕｔ２２）｝の値の絶対値より、基準導電体７３を備えた場合（図１４）では、基準導電体７３を備えていない場合（図１２）と比較し、クロストークが約３ｄＢ改善していることを確認することができる。
【００８１】
図１５は人体３の左手が基準導電体に接触している場合の生体通信装置１２０の特性である。図１６は生体３及び生体６がそれぞれ着席し、生体３の左手が基準導電体７３に接触している状態を背面部側から見た図である。図１７は、図１６のＡ−Ａ線に沿う電界強度分布を示す図である。図１８は生体３及び生体６がそれぞれ着席し、生体３の左手が基準導電体７３に接触している状態を尻部側から見た図である。図１９は図１８のＢ−Ｂ線に沿う電界強度分布を示す図である。
【００８２】
ここで、図１５は電磁界シミュレーションから算出されたものであり、通信器１送信時は通信器１での送信レベルで規格化し、通信器４送信時は通信器４での送信レベルで規格化している。図１７及び図１９は、それぞれ導電体１５及び導電体１３の端部での電界強度で規格化している。
【００８３】
図１５に示すように、座席７１と座席７２の間に基準導電体７３を設け、人体３の左手が基準導電体７３に接触した場合、通信器１の送信時、通信器２で検出される検出信号Ｓｄｔ１の値は（−２．２０ｄＢ）となっている。通信器５で検出される検出信号Ｓｄｔ２の値は（＋２．１８ｄＢ）となっている。通信器４の送信時、通信器２で検出される検出信号Ｓｄｔ１の値は（＋４．３４ｄＢ）となっている。通信器５で検出される検出信号Ｓｄｔ２の値は（−２．０９ｄＢ）となっている。人体３の左手が基準導電体７３に接触しているので、通信器４の送信時での通信器２で検出される検出信号Ｓｄｔ１は、図１４の場合と比較し、クロストークが約２ｄＢ改善されている。
【００８４】
このため、人体３が座席７１に着席していること、人体６が座席７２に着席していることを感度よく検出することができている。また、（Ｓｏｕｔ１−Ｓｏｕｔ２１）及び（Ｓｏｕｔ２−Ｓｏｕｔ２２）の値が正の場合が送信器１の送信を示し、負の場合が送信器４の送信を示している。人体３の左手が基準導電体７３に接触しているので、通信器４の送信時でのクロストーク総合評価である｛（Ｓｏｕｔ１−Ｓｏｕｔ２１）−（Ｓｏｕｔ２−Ｓｏｕｔ２２）｝の値の絶対値より、図１４の場合と比較し、クロストークが約２ｄＢ改善されていることを確認できる。したがって、通信器１或いは通信器４から発信された個人のＩＤ認証と人体側の通信器との関連づけも容易に行える。
【００８５】
図１７に示すように、人体３の左手が基準導電体７３に接触し、通信器１が送信している胸部では（図１６参照）、導電体１５の基準導電体７３側の一端部の電界強度は、基準導電体７３の電界強度よりも２ｄＢＶ／ｍ大きくなり、最大値となる。導電体１５では、他端側になるほど電界強度が低下する。導電体４５の基準導電体７３側の一端部の電界強度は、基準導電体７３の電界強度よりも２ｄＢＶ／ｍ小さくなる。導電体４５では、他端側になるほど電界強度が低下する。
【００８６】
図１９に示すように、人体３の左手が基準導電体７３に接触し、通信器１が送信している尻部では（図１８参照）、導電体１３の基準導電体７３側の一端部の電界強度は、基準導電体７３の電界強度よりも２ｄＢＶ／ｍ大きくなり、最大値となる。導電体１３では、他端側になるほど電界強度が低下する。導電体４３の基準導電体７３側の一端部の電界強度は、基準導電体７３の電界強度よりも２ｄＢＶ／ｍ小さくなる。導電体４３では、他端側になるほど電界強度が低下する。
【００８７】
上述したように、本実施形態の生体通信装置では、座席７１と座席７２の間に基準導電体７３を設けている。基準導電体７３は基準電位Ｖｓｓに設定される。座席７１と座席７２の間に基準導電体７３を設け、人体が基準導体７３に接触していない場合、基準導体７３を設けていない場合よりもクロストークが約３ｄＢ改善される。座席７１と座席７２の間に基準導電体７３を設け、人体３の左手が基準導体７３に接触している場合、基準導体７３に接触していない場合よりもクロストークが約２ｄＢ改善される。
【００８８】
このため、第２の実施形態よりも人体が座席に着席しているかどうかを感度良く判定することができる。通信器１或いは通信器４から発信された個人のＩＤ認証と人体側の通信器との関連づけも容易に行えることができる。
【００８９】
なお、本実施形態では、座席７１に導電体１３乃至１６を設け、座席７２に導電体４３乃至４６を設けているが必ずしもこれに限定されるものではない。図２０に示す第２の変形例の生体通信装置のように導電体を分割してもよい。ここでは、導電体１３乃至１６を導電体１３ａ乃至１６ａ、導電体１３ｂ乃至１６ｂと２分割し、導電体４３乃至４６を導電体４３ａ乃至４６ａ、導電体４３ｂ乃至４６ｂと２分割している。
【００９０】
（第４の実施形態）
次に、本発明の第４の実施形態に係る生体通信装置について、図面を参照して説明する。図２１は生体通信装置の概略構成を示す図である。本実施形態では、生体通信装置を用いて顧客管理が実行される。
【００９１】
図２１に示すように、生体通信装置１３０には、通信器８１（第１通信器）と通信器８２（第２通信器）が設けられる。
【００９２】
生体通信装置１３０は、駅の改札、映画館や劇場などのホール、店舗などでの利用者の所在の有無と利用者のＩＤ認証に適用される。生体通信装置１３０では、胸部に通信器８１を装着している利用者８３が通信器８２に接触或いは近接したとき、通信器８１と通信器８２の間で生体通信が行われる。通信器８２で取得された利用者８３のＩＤ情報は、管理者８４により把握され、確認される。
【００９３】
通信器８１には、第１の実施形態の通信器１と同様に、図示しない第１通信部と第１導電体が設けられる。
【００９４】
通信器８２には、導電体１３乃至１６、認証部８５が設けられる。導電体１３及び導電体１４は、床８６の表面部分に埋設される。ここでは、床８６の表面部分に埋設されているが、カーペットや絨毯の直下に配置、或いは床８６上に配置してもよい。利用者の所在の有無と利用者のＩＤ認証時、導電体１３及び導電体１４は、利用者８３の足裏部に近接される。
【００９５】
導電体１５及び導電体１６は、導電体１３及び導電体１４に対して略直交するように床８６表面と離間配置される。利用者の所在の有無と利用者のＩＤ認証時、導電体１５及び導電体１６は、利用者８３の胸或いは手に接触或いは近接される。
【００９６】
認証部８５は、第１の実施形態の通信器１と同様に第１検出部及び第２通信部が設けられる。認証部８５と導電体１３乃至１６との接続は第１の実施形態と同様なので説明を省略する。認証部８５は、第１検出部から出力される第１信号出力、第２信号出力、及び第１差分出力に基づいて利用者の所在の有無と利用者のＩＤ認証が行われる。
【００９７】
上述したように、本実施形態の生体通信装置では、通信器８１と通信器８２が設けられる。通信器８１には、第１通信部と第１導電体が設けられる。通信器８２には、導電体１３乃至１６、認証部８５が設けられる。導電体１３、導電体１５が利用者８３に接触或いは近接しているときに、利用者の所在の有無と利用者のＩＤ認証が行われ、その結果が管理者８４に把握され、確認される。
【００９８】
このため、生体通信装置１３０では、利用者の所在の有無と利用者のＩＤ認証が同時に行われるので、不正防止やインセンティブ付与のカスタマイズが容易となる。
【００９９】
（第５の実施形態）
次に、本発明の第５の実施形態に係る生体通信装置について、図面を参照して説明する。図２２は生体通信装置の概略構成を示す図である。本実施形態では、生体通信装置を用いて患者のヘルスケアが行われる。
【０１００】
図２２に示すように、生体通信装置１４０には、通信器９１（第１通信器）と通信器９２（第２通信器）が設けられる。
【０１０１】
生体通信装置１４０は、病院や個人宅のベッド９５に寝ている患者９３の生体情報及び患者の状態の把握に適用される。生体通信装置１４０は、胸部に通信９１を装着している患者９３が通信器９２に接触或いは近接したとき、通信器９１と通信器９２の間で生体通信が行われる。通信器９２で取得された患者９３の情報は、例えば病院に在籍している医者や管理者により把握され、確認される。
【０１０２】
通信器９１には、第１の実施形態の通信器１と同様に、図示しない第１通信部と第１導電体が設けられる。
【０１０３】
通信器９２には、導電体１３乃至１６、モニター部９４が設けられる。導電体１３及び導電体１４は、ベッド９５の表面部分に埋設される。導電体１５及び導電体１６は、導電体１３及び導電体１４に対して略直交するようにベッド９５の凸部表面に埋設される。
【０１０４】
モニター部９４は、第１の実施形態の通信器１と同様に第１検出部及び第２通信部が設けられる。モニター部９４と導電体１３乃至１６との接続は第１の実施形態と同様なので説明を省略する。モニター部９４は、第１検出部から出力される第１信号出力、第２信号出力、及び第１差分出力に基づいて患者９３の生体情報及び患者の状態の把握を行う。モニター部９４は、患者９３が導電体１３及び導電体１５と所定以上離れた場合、患者に異常事態が発生したと判断する（例えば、患者９３がベッド９５から転落）。
【０１０５】
上述したように、本実施形態の生体通信装置では、通信器９１と通信器９２が設けられる。通信器９１には、第１通信部と第１導電体が設けられる。通信器９２には、導電体１３乃至１６、モニター部９４が設けられる。導電体１３及び導電体１４は、ベッド９５の表面部分に埋設される。導電体１５及び導電体１６は、導電体１３及び導電体１４に対して略直交するようにベッド９５の凸部表面に埋設される。
【０１０６】
このため、生体通信装置１４０では、通信器９１と通信器９２の間で生体通信が行われず、モニター部９４からの信号が観測されない場合、モニター画面などを見なくとも患者９３がベッド９５から転落していると医者や管理者などが判断することができる。
【０１０７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０８】
１、１ａ、２、４、５、８１、８２、９１、９２  通信器
３、６  人体
７  判定部
１１、４１  検出部
１２、２１、４２、５１  通信部
１３〜１６、１３ａ〜１６ａ、１３ｂ〜１６ｂ、２２、４３〜４６、４３ａ〜４６ａ、４３ｂ〜４６ｂ、５２  導電体
１７〜１９、６１〜６３  比較器
２３、５３  基準電位電極
２４、５４  誘電体部
２５、５５  基板
２６、３２、５６  ビア
２７、５７  筺体
３１  端子
３３  フェライトバー
３４  磁界送受信部
７１、７２  座席
７３  基準導電体
８３  利用者
８４  管理者
８５  認証部
８６  床
９３  患者
９４  モニター部
９５  ベッド
１００、１１０、１２０、１３０、１４０  生体通信装置
Ｌｓ１、Ｌｓ３、Ｌｓ５〜Ｌｓ７、Ｌｓ１１、Ｌｓ２１、Ｌｓ２２、Ｌｓ４１、Ｌｓ４３、Ｌｓ４５〜Ｌｓ４７、Ｌｓ５１  信号線
Ｌｓ２、Ｌｓ４、Ｌｓ４２、Ｌｓ４４  基準電位線
Ｓｄｔ１、Ｓｄｔ２  検出信号
Ｓｏｕｔ１、Ｓｏｕｔ２、Ｓｏｕｔ２１、Ｓｏｕｔ２２  信号
Ｖｓｓ  接地電位
【図１】
2015032928.tif 000003
【図２】
2015032928.tif 000004
【図３】
2015032928.tif 000005
【図４】
2015032928.tif 000006
【図５】
2015032928.tif 000007
【図６】
2015032928.tif 000008
【図７】
2015032928.tif 000009
【図８】
2015032928.tif 000010
【図９】
2015032928.tif 000011
【図１０】
2015032928.tif 000012
【図１１】
2015032928.tif 000013
【図１２】
2015032928.tif 000014
【図１３】
2015032928.tif 000015
【図１４】
2015032928.tif 000016
【図１５】
2015032928.tif 000017
【図１６】
2015032928.tif 000018
【図１７】
2015032928.tif 000019
【図１８】
2015032928.tif 000020
【図１９】
2015032928.tif 000021
【図２０】
2015032928.tif 000022
【図２１】
2015032928.tif 000023
【図２２】
2015032928.tif 000024